(57)【特許請求の範囲】
【請求項１】
複数の階を備えた建物において、
最下の前記階よりも上階で、同一階となる少なくとも一の前記階の床領域には、一般床領域と、前記一般床領域よりも床衝撃吸収性能が高い遮音床領域とが設けられており、
前記一般床領域は、複数の床パネルが並設された第１スラブ層を備え、
前記遮音床領域は、複数の床パネルが並設された第２スラブ層を備え、
前記第２スラブ層は、矩形状で長手方向の寸法の異なる複数の床パネルと、前記床パネルに設置された減衰手段と、を備え、
前記床パネルは、一対の短辺部で支持されており、
前記第２スラブ層を構成する前記複数の床パネルのうち、長手方向の寸法が長い前記床パネルには、長手方向の寸法が短い前記床パネルに設置された前記減衰手段に比べて、床衝撃吸収性能の高い前記減衰手段が設置されており、
前記減衰手段は、前記床パネルに設置される数が多いほど、床衝撃吸収性能が高くなる複数のダイナミックダンパーである、建物。
【請求項２】
前記ダイナミックダンパーは、長尺状で、一端が前記床パネルに固定された弾性部と、前記弾性部の他端に設けられ、前記弾性部と前記床パネルとの間に配置された干渉部と、前記弾性部の他端に設けられ、前記干渉部とは反対側に配置されたおもり部と、を備え、
前記弾性部の長手方向は、前記床パネルの長手方向に一致している、請求項１記載の建物。
【請求項３】
前記弾性部は、前記床パネルに固定された前記一端が、前記他端よりも前記床パネルの長手方向の中心寄りに配置されている、請求項２記載の建物。
【請求項４】
前記ダイナミックダンパーは、一の前記床パネルに対して複数設置されており、前記複数のダイナミックダンパーは、前記床パネルの長手方向の両側に分かれて配置されている、請求項１〜３のいずれか一項記載の建物。
【請求項５】
一対の短辺が大梁と小梁とによって支えられた前記床パネルを備え、
前記床パネルに対し、前記ダイナミックダンパーは複数設置されており、
前記ダイナミックダンパーは、前記床パネルが前記小梁で支持される短辺側に多く配置されている、請求項１〜４のいずれか一項記載の建物。
【請求項６】
前記ダイナミックダンパーは、一の前記床パネルに対して複数設置されており、前記複数のダイナミックダンパーは、前記床パネルの短手方向の両側に分かれて配置されている、請求項１〜５のいずれか一項記載の建物。
【請求項７】
前記一般床領域は、複数の床パネルが並設された第１スラブ層と、前記第１スラブ層に積層された第１下地層と、前記第１スラブ層を支持する第１梁部と、を備え、
前記遮音床領域は、複数の床パネルが並設され、且つ前記第１スラブ層よりも床衝撃吸収性能が高い第２スラブ層と、前記第２スラブ層に積層された第２下地層と、前記第２スラブ層を支持する第２梁部と、を備え、
前記第１梁部の上端部の高さと前記第２梁部の上端部の高さとは揃っており、
前記第１スラブ層の前記床パネルの厚さと前記第２スラブ層の前記床パネルの厚さとは同一である、請求項１〜６のいずれか一項記載の建物。
【請求項８】
前記複数の階は、前記床領域が設けられた上階と、前記床領域の下側である下階とを備え、
少なくとも、前記遮音床領域は、平面視で、前記上階の居室と前記下階の居室との重複領域に設けられていることを特徴とする請求項１〜７のいずれか一項記載の建物。
【請求項９】
前記遮音床領域は、前記重複領域のみに設けられていることを特徴とする請求項８記載の建物。
【請求項１０】
前記上階の前記居室には、前記遮音床領域が設けられていることを特徴とする請求項８又は９記載の建物。
【請求項１１】
前記複数の階は、前記上階の下側である下階を備え、
平面視で、前記下階の前記居室に重なる上階の前記床領域には前記遮音床領域が設けられていることを特徴とする請求項８〜１０のいずれか一項記載の建物。
【請求項１２】
前記第２スラブ層には、空隙部が形成されており、
前記減衰手段は、前記空隙部内に配置されている、請求項１〜１１のいずれか一項記載の建物。
【発明の詳細な説明】
【技術分野】
【０００１】
本発明は、床領域を備える建物に関する。
【背景技術】
【０００２】
建物の床の遮音性を向上させるため、床領域に遮音機能が付与された建物に関する技術（特許文献１、特許文献２参照）が知られている。この種の建物、特に集合住宅などでは、上下階での騒音問題を防ぐために床領域全体に高い遮音性を持たせることが通常であった。
【先行技術文献】
【特許文献】
【０００３】
【特許文献１】特開２０１２−１６２９３８号公報
【特許文献２】特開２０１５−６３８６１号公報
【発明の概要】
【発明が解決しようとする課題】
【０００４】
しかしながら、用途に応じた様々な空間を形成し得る建物において、床領域全体の遮音性を区別なく向上させる従来の技術思想では、建物内部の空間用途に応じた遮音性向上の好適化を図ることが難しかった。
【０００５】
本発明は、建物内部の空間用途に応じた遮音性向上の好適化を図り易い建物を提供することを目的とする。
【課題を解決するための手段】
【０００６】
本発明は、複数の階を備えた建物において、最下の階よりも上階で、同一階となる少なくとも一の階の床領域には、一般床領域と、一般床領域よりも床衝撃吸収性能が高い遮音床領域とが設けられていることを特徴とする。
【０００７】
本発明によれば、同一階において一般床領域と遮音床領域とを備えた床領域が設けられているので、床領域の全体を遮音床領域とする形態に比べ、建物内部の空間用途に応じた遮音性向上の好適化を図り易くなる。その結果、構造の簡素化や施工性の向上につながり、コスト面でも有利となる。
【０００８】
また、一般床領域は、複数の床パネルが並設された第１スラブ層と、第１スラブ層に積層された第１下地層と、第１スラブ層を支持する第１梁部と、を備え、遮音床領域は、複数の床パネルが並設され、且つ第１スラブ層よりも床衝撃吸収性能が高い第２スラブ層と、第２スラブ層に積層された第２下地層と、第２スラブ層を支持する第２梁部と、を備え、第１梁部の上端部の高さと第２梁部の上端部の高さとは揃っており、第１スラブ層の床パネルの厚さと第２スラブ層の床パネルの厚さとは同一であると好ましい。本構成によれば、第１スラブ層の床パネルの上面と第２スラブ層の床パネルの上面とが揃うので、第１下地層及び第２下地層の施工性が向上する。
【０００９】
また、複数の階は、床領域が設けられた上階と、この床領域の下側である下階とを備え、少なくとも、遮音床領域は、平面視で、上階の居室と下階の居室との重複領域に設けられていると好適である。居室は住人等の居住者が継続的に使用する空間であり、上階での騒音は非居室よりも居室の方が発生し易い。また、居住者が居室で過ごす時間は、非居室で過ごす時間よりも長くなるのが通常である。したがって、上階の床領域の遮音性は、下階の非居室に対してよりも、居室に対しての方が大きな効果を期待できる。本態様では、少なくとも、遮音床領域は、上階の居室と下階の居室との重複領域に設けられているので、建物内部の空間用途に応じた遮音性向上の好適化に有利である。
【００１０】
また、遮音床領域は、重複領域のみに設けられていると好適である。遮音床領域は、一般床領域に比べて床衝撃吸収性能が高いので、通常であれば、一般床領域よりも手間やコストがかかることが多い。重複領域のみに遮音床領域を設けることで、施工性の向上に有利になる。
【００１１】
また、上階の居室には、遮音床領域が設けられていると好適である。上階での騒音は非居室よりも居室の方が発生し易いので、上階の居室に遮音床領域を設けることにより、建物内部の空間用途に応じた遮音性向上の好適化に有利である。
【００１２】
また、床領域において、平面視で、下階の居室に重なる上階の床領域には遮音床領域が設けられていると、下階の居住者にとっての快適性を向上できるので好適である。
【００１３】
また、一般床領域は、複数の床パネルが並設された第１スラブ層を備え、遮音床領域は、複数の床パネルが並設された第２スラブ層を備え、第２スラブ層は、矩形状で長手方向の寸法の異なる複数の床パネルと、床パネルに設置された減衰手段と、を備え、複数の床パネルのうち、長手方向の寸法が長い床パネルには、長手方向の寸法が短い床パネルに設置された減衰手段に比べて、床衝撃吸収性能の高い減衰手段が設置されていると好適である。一般的に、矩形状の床パネルは、短辺部で支持されることが多く、その結果、長手方向の寸法が長い床パネルの方が短い床パネルに比べて振動し易くなる。従って、長手方向の寸法が長い床パネルに床衝撃吸収性能の高い減衰手段を設置することで、遮音性向上の好適化に有利である。
【００１４】
また、上記の減衰手段としてダイナミックダンパーを採用することにより、所望の床衝撃吸収性能を得易くなり、好適である。
【００１５】
また、上記の建物において、第２スラブ層には空隙部が形成されており、上記の減衰手段を空隙部内に配置することもできる。減衰手段を空隙部内に配置することにより、第２スラブ層の上面を平坦に保つことができ、第２下地層の施工性がよい。
【発明の効果】
【００１６】
本発明に係る建物によれば、建物内部の空間用途に応じた遮音性向上の好適化を図り易くなる。
【図面の簡単な説明】
【００１７】
【図１】本発明の第１実施形態に係る建物の代表階を模式的に示す平断面図である。
【図２】本実施形態に係る代表階の床領域を示し、（ａ）は一般床領域と遮音床領域とを区別して示す平面図であり、（ｂ）は遮音床領域の各床パネルに設置されたダイナミックダンパーを示す平面図である。
【図３】本実施形態に係る建物の階を模式的に示す図である。
【図４】図２（ｂ）の一部分を拡大して示す図である。
【図５】図４のＶ−Ｖ線に沿った断面図である。
【図６】ダイナミックダンパーを示し、（ａ）は側面図、（ｂ）は斜視図である。
【図７】第１の変形例に係る遮音床領域の断面図である。
【図８】第２の変形例に係る遮音床領域の断面図である。
【図９】本発明の第２実施形態に係る建物の階を模式的に示す図である。
【発明を実施するための形態】
【００１８】
以下、本発明に係る実施の形態について図面を参照しながら具体的に説明する。便宜上、実質的に同一の要素には同一の符号を付し、その説明を省略する場合がある。
【００１９】
本実施形態に係る建物１Ａ（図１、図２、及び図３参照）は、複数の階、具体的には１階１ａ、２階１ｂ、３階１ｃ、４階１ｄを備える集合住宅であり、共用部分２を除き、構造上、複数の独立した住戸３，４に区画されている。各住戸３，４には、例えば、出入り口となる玄関ドア３ａ，４ａが設けられている。
【００２０】
建物１Ａは、コンクリート製の基礎梁と、水平方向に所定距離離間して基礎梁に立設された複数の柱１１と、柱１１間に設けられた大梁１３，１４（図５参照）とを備える。基礎梁は、例えば布基礎であり、水平方向に延在して柱１１の下端（柱脚）間にわたって設けられている。柱１１は例えば角形鋼管からなり、大梁１３，１４は例えばＨ形鋼からなる。なお、本体架構は柱勝ち又は梁勝ちのいずれであってもよい。基本的に、基礎梁と大梁１３，１４とは、上下方向において対向するようにして、互いに平行に延在する。すなわち、基礎梁と大梁１３，１４とは、同じ水平方向に延在している。
【００２１】
また、建物１Ａは、大梁１３，１４間に渡された小梁を備えている。小梁の両端は、柱１１では無く、基本的に大梁１３，１４に連結され、大梁１３，１４によって支持されている。小梁の設置場所や本数等は、建物１Ａの間取り、後述する床パネルの寸法、その他の必要性に応じて任意に決定できる。
【００２２】
本実施形態に係る建物１Ａは、各階の住戸３，４の配置や各住戸３，４の間取りが基本的に同様である。したがって、図１、及び図２を参照し、その代表階として２階１ｂを例に説明する。なお、各階の住戸３，４の配置や住戸３，４の数、各住戸３，４の間取りや床領域、更に共用部分２の内容や設備等は、階１ａ〜１ｄごとに異なっていてもよい。
【００２３】
２階１ｂには、二つの住戸３，４が境界壁１２を挟んで設けられており、更に、両方の住戸３，４に隣接する共用部分２が設けられている。共用部分２には、上下階を連絡する階段部２１と、各住戸３，４の玄関ドア３ａ，４ａに通じる共用廊下２２が設けられている。
【００２４】
説明の便宜のため、以下の説明では、図１の左側である一方の住戸を第１住戸３と呼び、右側である他方の住戸を第２住戸４と呼ぶ。平面視で第１住戸３は、略Ｔ字を寝かせたような形状であり、第２住戸４は、略Ｌ字を左右逆にした逆Ｌ字状の形状である。
【００２５】
第１住戸３は、居間兼食堂３０ａと台所３０ｂとが仕切りなく隣接しているＬＤＫ３０を備えている。また、第１住戸３は、ＬＤＫ３０に隣接する第１洋室３１と、第１洋室３１の反対側においてＬＤＫ３０に隣接する第２洋室３２とを備えている。ＬＤＫ３０及び第１洋室３１にはトイレ３３が隣接し、トイレ３３には玄関廊下３４が隣接している。第２洋室３２には、押し入れなどの収納室３５が隣接し、収納室３５を挟んで第２洋室３２の反対側には、洗面室３６及び浴室３７が設けられている。更に、第１住戸３には、居間兼食堂３０ａから出入り可能なベランダ３８が設けられている。
【００２６】
第２住戸４は、居間兼食堂４０ａと台所４０ｂとが仕切りなく隣接しているＬＤＫ４０を備えている。ＬＤＫ４０には玄関廊下４４とトイレ４３とが隣接し、玄関廊下４４及びトイレ４３に隣接して第１洋室４１が設けられている。また、ＬＤＫ４０には、洗面室４６及び浴室４７が隣接しており、更に洗面室４６及び浴室４７に並んで第２洋室４２が設けられている。第２洋室４２には押し入れなどの収納室４５が設けられている。更に、第２住戸４には、居間兼食堂４０ａから出入り可能なベランダ４８が設けられている。
【００２７】
第１住戸３及び第２住戸４は、居室１５Ａと非居室１５Ｂとを備えている（図２（ａ）参照）。本実施形態に係る居室１５Ａは、住人等の居住者が長時間に亘って滞在し、または寛ぐことを想定した空間であり、２．５ｍ×２．０ｍ以上の床面積（例えば、３畳以上）を有し、水回り設備が設けられていない空間である。水回り設備とは台所３０ｂ，４０ｂの流し台３０ｃ，４０ｃ、洗面室３６，４６の洗面台３６ａ，４６ａ、浴室３７，４７の浴槽３７ａ，４７ａ、トイレ３３，４３の便器３３ａ，４３ａ等である。第１住戸３の居間兼食堂３０ａ、第１洋室３１、及び第２洋室３２、第２住戸４の居間兼食堂４０ａ、第１洋室４１、及び第２洋室４２は居室１５Ａに相当する。居室１５Ａ以外は、非居室１５Ｂであり、第１住戸３のトイレ３３、玄関廊下３４、台所３０ｂ、洗面室３６、及び浴室３７、第２住戸４のトイレ４３、玄関廊下４４、台所４０ｂ、洗面室４６、及び浴室４７は非居室１５Ｂである。また、共用部分２も基本的に非居室１５Ｂである。
【００２８】
図２に示されるように、居室１５Ａの床領域は遮音床領域５（図２（ａ）の二点鎖線参照）とされており、非居室１５Ｂの床領域は一般床領域６とされている。遮音床領域５には、一般床領域６に比べて床衝撃吸収性能が高くなるように構成されている。本実施形態では床パネルに減衰手段が設けられているが、遮音床領域５は、減衰手段が設けられた態様に限定されない。例えば、遮音床領域５の床パネルを、一般床領域６の床パネルに比べて床衝撃吸収性能が高くなるような材質としたり、また、一般床領域６の床パネルよりも強度を強くしたり、厚みを厚くするなどしてもよい。
【００２９】
図４、及び図５に示されるように、一般床領域６は、複数の床パネル６１が並設された第１スラブ層６０と、第１スラブ層６０に積層された第１下地層６２と、第１下地層６２上に設置された床仕上げ材６３と、第１スラブ層６０を支持する大梁（以下、「第１梁部」という）１３と、を備える。また、遮音床領域５は、複数の床パネル５１Ａ，５１Ｂが並設された第２スラブ層５０と、第２スラブ層５０に積層された第２下地層５２と、第２下地層５２上に設置された床仕上げ材５３と、第２スラブ層５０を支持する大梁（以下、「第２梁部」という）１４と、を備える。なお、本実施形態では、第１スラブ層６０のみを支持する大梁のみならず、第１スラブ層６０と第２スラブ層５０との両方を支持する大梁も第１梁部１３として説明している。
【００３０】
第１梁部１３の上端部１３ａの高さと第２梁部１４の上端部１４ａの高さとは揃っており、第１スラブ層６０の床パネル６１の厚さと第２スラブ層５０の床パネル５１Ａ，５１Ｂの厚さとは同一である。その結果、第１スラブ層６０の床パネル６１の上面６１ａと第２スラブ層５０の床パネル５１Ａ，５１Ｂの上面５１ａとが揃うので、第１スラブ層６０及び第２スラブ層５０上における第１下地層６２や第２下地層５２、更に床仕上げ材６３，５３などの仕上げ処理において、施工性が向上する。
【００３１】
一般床領域６において、第１スラブ層６０となる床パネル６１は、例えば、矩形状の軽量気泡コンクリート（ＡＬＣ）パネルであるが、プレキャストコンクリートその他の矩形状の床パネル６１であってもよい。床パネル６１は基本的に一対の短辺部で第１梁部１３に支持されている。第１下地層６２は、例えば、床パネル６１上に敷設された複数の根太６２ａ、根太６２ａ間に設置された不織布６２ｂ、不織布６２ｂ上に敷き詰められた遮音マット６２ｃ、及び根太６２ａ上に設置された石膏ボード６２ｄ、石膏ボード６２ｄ上に設置された遮音マット６２ｅ、及び遮音マット６２ｅ上に設置された下地合板６２ｆを備えている。第１下地層６２の上には、床仕上げ材６３が設置されている。
【００３２】
遮音床領域５において、第２スラブ層５０となる床パネル５１Ａ，５１Ｂは、例えば、矩形状の軽量気泡コンクリート（ＡＬＣ）パネルであるが、プレキャストコンクリートその他の矩形状の床パネル５１Ａ，５１Ｂであってもよい。床パネル５１Ａ，５１Ｂは基本的に一対の短辺部で第２梁部１４に支持されている。第２下地層５２は、例えば、床パネル５１Ａ，５１Ｂ上に敷設された複数の根太５２ａ、根太５２ａ間に設置された不織布５２ｂ、不織布５２ｂ上に敷き詰められた遮音マット５２ｃ、及び根太５２ａ上に設置された石膏ボード５２ｄ、石膏ボード５２ｄ上に設置された遮音マット５２ｅ、及び遮音マット５２ｅ上に設置された下地合板５２ｆを備えている。第２下地層５２の上には、床仕上げ材５３が設置されている。
【００３３】
遮音床領域５の第２スラブ層５０には、減衰手段であるダイナミックダンパー７（図６参照）が設置されている。ダイナミックダンパー７は、一端が床パネル５１Ａ，５１Ｂの裏面に固定された長尺状の板バネ部（弾性部）７１と、板バネ部７１の他端に固定された高減衰ゴム部（干渉部）７２と、おもり部７３とを備えている。高減衰ゴム部７２は、板バネ部７１の床パネル５１Ａ，５１Ｂ側に固定されており、おもり部７３は、高減衰ゴム部７２とは反対側に固定されている。床に加わった衝撃により、床パネル５１Ａ，５１Ｂが振動すると、その振動に対しておもり部７３は逆位相で動く。その結果、高減衰ゴム部７２が床パネル５１Ａ，５１Ｂにあたり、床パネル５１Ａ，５１Ｂの振動を抑制する。
【００３４】
遮音床領域５には、寸法の異なる二種類の床パネル５１Ａ，５１Ｂが使用されている。一方の床パネルは、長手方向の寸法が短い床パネル５１Ｂであり、他方の床パネルは、長手方向の寸法が長い床パネル５１Ａである。長い側の床パネル５１Ｂには計４個のダイナミックダンパー７が設置されており、短い側の床パネル５１Ａには計３個のダイナミックダンパー７が設置されている。基本的に、ダイナミックダンパー７の数が多いほど、床衝撃吸収性能は高い。つまり、長い側の床パネル５１Ｂには、短い側の床パネル５１Ａに比べて床衝撃吸収性能の高い減衰手段が設置されていることになる。本実施形態において、長い側、及び短い側の各床パネル５１Ａ，５１Ｂは、それぞれ一対の短辺部で支持されており、長い側の床パネル５１Ｂの方が短い側の床パネル５１Ａに比べて振動し易い状態にある。つまり、長い側の床パネル５１Ｂに床衝撃吸収性能の高い減衰手段を設置することで、遮音性向上の好適化に有利である。
【００３５】
次に、図７、または図８を参照し、変形例に係る遮音床領域５について説明する。図７は、第１の変形例に係る遮音床領域５の断面図であり、図８は、第２の変形例に係る遮音床領域５の断面図である。なお、第１の変形例において、上記の基本となる実施形態と共通する部材や要素には、同一の符号を付して詳細な説明を省略する。
【００３６】
第１の変形例に係る第２スラブ層５０には、床パネル５１Ａ，５１Ｂ内に面内方向に沿って延在する複数の空隙部５１ｃが形成されており、空隙部５１ｃ内に粒子、紛体、流体などからなる減衰手段７Ａが配置されている。空隙部５１ｃ内に配置される減衰手段７Ａは、粒子、紛体、流体などを袋詰めした態様であってもよく、更に、上述のダイナミックダンパー７であっても良い。減衰手段７Ａを空隙部５１ｃ内に配置することにより、第２スラブ層５０（床パネル５１Ａ，５１Ｂ）上面を平坦に保つことができ、第２下地層５２の施工性がよい。
【００３７】
第２の変形例に係る第２スラブ層５０には、床パネル５１Ａ，５１Ｂの上面５１ａに複数の溝部５１ｂが形成されている。溝部５１ｂは、第２下地層５２で塞がれて空隙部となり、空隙部内に粒子、紛体、流体などからなる減衰手段７Ａが配置されている。空隙部内に配置される減衰手段７Ａは、粒子、紛体、流体などを袋詰めした態様であってもよく、更に、上述のダイナミックダンパー７であっても良い。減衰手段を空隙部内に配置することにより、第２スラブ層５０（床パネル５１Ａ，５１Ｂ）上面を平坦に保つことができ、第２下地層５２の施工性がよい。
【００３８】
次に、図３を参照し、建物１Ａの上下の階の居室１５Ａ及び非居室１５Ｂと床領域との関係について説明する。図３は、本実施形態に係る建物１Ａの縦断面図であり、各階１ａ〜１ｄを模式的に示している。各階１ａ〜１ｄの居室１５Ａと非居室１５Ｂとの配置は同じであり、居室１５Ａ同士、及び非居室１５Ｂ同士は、平面視で重なり合っている。
【００３９】
複数の階１ａ〜１ｄは、床領域が設けられた上階と、この床領域の下側である下階とを備えている。例えば、１階１ａを下階と考えた場合、２階１ｂが上階となり、２階１ｂを下階と考えた場合、３階１ｃが上階となり、３階１ｃを下階と考えた場合、４階１ｄが上階となる。本実施形態では、各階１ａ〜１ｄの居室１５Ａと非居室１５Ｂとの配置は同じであり、居室１５Ａ同士、及び非居室１５Ｂ同士は上下に重なっている。したがって、以下の説明では、１階を下階、２階を上階と考えた場合を例に説明する。
【００４０】
２階１ｂの居室１５Ａと１階１ａの居室１５Ａとは平面視で重なっており、少なくとも、２階１ｂの居室１５Ａと１階１ａの居室１５Ａとの重複領域には、遮音床領域５が設けられている。居室１５Ａは住人等の居住者が継続的に使用する空間であり、２階１ｂでの騒音は非居室１５Ｂよりも居室１５Ａの方が発生し易い。また、居住者が居室１５Ａで過ごす時間は、非居室１５Ｂで過ごす時間よりも長くなるのが通常である。したがって、２階１ｂの床領域の遮音性は、１階１ａの非居室１５Ｂに対してよりも、居室１５Ａに対しての方が大きな効果を期待できる。本実施形態では、少なくとも、２階１ｂの居室１５Ａと１階１ａの居室１５Ａとの重複領域に遮音床領域５が設けられているので、建物１Ａの内部の空間用途に応じた遮音性向上の好適化に有利である。
【００４１】
次に、図９を参照して第２の実施形態に係る建物１Ｂについて説明する。図９は、第２の実施形態に係る建物１Ｂの断面図であり、各階１ａ〜１ｄを模式的に示している。各階１ａ〜１ｄの居室１５Ａと非居室１５Ｂとの配置は、１階１ａと３階１ｃとが同じであり、２階１ｂと４階１ｄとが同じである。１階１ａの居室１５Ａと２階１ｂの居室１５Ａとは、平面視で一部分が重なり、同様に、２階の居室１５Ａと３階の居室１５Ａとは、平面視で一部分が重なり、３階の居室１５Ａと４階の居室１５Ａとは、平面視で一部分が重なる。
【００４２】
まず、１階１ａを下階、２階１ｂを上階と考えた場合を例に説明する。遮音床領域５は、２階１ｂの居室１５Ａと１階１ａの居室１５Ａとの重複領域のみに設けられている。遮音床領域５は、一般床領域６に比べて床衝撃吸収性能が高いので、通常であれば、一般床領域６よりも手間やコストがかかることが多い。重複領域のみに遮音床領域５を設けることで、施工性の向上に有利になる。なお、必要により、重複領域のみではなく、非居室１５Ｂの床領域の一部分に遮音床領域５を設けることも可能である。
【００４３】
次に、２階１ｂを下階、３階１ｃを上階と考えた場合を例に説明する。３階１ｃの居室１５Ａの床領域には、遮音床領域５が設けられている。騒音は非居室１５Ｂよりも居室１５Ａの方が発生し易いので、３階の居室１５Ａに遮音床領域５を設けることにより、建物１Ａの内部の空間用途に応じた遮音性向上の好適化に有利である。
【００４４】
次に、３階１ｃを下階、４階１ｄを上階と考えた場合を例に説明する。平面視で、３階１ｃの居室１５Ａに重なる４階１ｄの床領域には遮音床領域５が設けられている。つまり、３階１ｃの居住者にとっての快適性を向上できるので好適である。
【００４５】
上記の各実施形態に係る建物１Ａ，１Ｂによれば、同一階において一般床領域６と遮音床領域５とを備えた床領域が設けられているので、床領域の全体を遮音床領域とする形態に比べ、建物内部の空間用途に応じた遮音性向上の好適化を図り易くなる。その結果、構造の簡素化や施工性の向上につながり、コスト面でも有利となる。
【００４６】
以上、各実施形態を参照して本発明を説明したが、本発明は、上記の実施形態のみに限定解釈されない。例えば、居室は、建築基準法で定められた空間に限定されず、例えば書斎、子供部屋、客室などの、居住、執務、作業、集会、娯楽その他これらに類する目的のために継続的に使用する室を広く含み、より具体的には、２．５ｍ×２．０ｍ以上の床面積を有し、水回り設備が設けられていない空間として規定できる。また、非居室１５Ｂは、居室以外の空間をいい、上記の例に限定されず、例えば、住戸内の階段や納戸（サービスルーム）等を含む。
【００４７】
また、上記の各実施形態では、最下の階が地上１階である場合を例に説明したが、地下の階が最下の階であってもよい。
【符号の説明】
【００４８】
１Ａ、１Ｂ…建物、１ａ…１階、１ｂ…２階、１ｃ…３階、１ｄ…４階、５…遮音床領域、６…一般床領域、１３…大梁（第１梁部）、１３ａ…上端部、１４…大梁（第２梁部）、１４ａ…上端部、６０…第１スラブ層、６１…床パネル、６２…第１下地層、５０…第２スラブ層、５１Ａ、５１Ｂ…床パネル、５２…第２下地層、７…ダイナミックダンパー（減衰手段）、７Ａ…減衰手段、５１ｃ…空隙部、５１ｂ…溝部（空隙部）。
【図１】
0006730103.tif 000002
【図２】
0006730103.tif 000003
【図３】
0006730103.tif 000004
【図４】
0006730103.tif 000005
【図５】
0006730103.tif 000006
【図６】
0006730103.tif 000007
【図７】
0006730103.tif 000008
【図８】
0006730103.tif 000009
【図９】
0006730103.tif 000010